(57)【要約】      （修正有）【課題】ベッドサイドにおいて使用済おむつや使用済タオル等の汚臭や見た目の問題を解消して衛生的に回収することができ、おむつ交換を排泄後随時行うことを容易にするためのおむつ交換カートを提供する。【解決手段】収納手段５と把持手段６と移動手段７とから構成されており、前記収納手段５は本体収納部２と開閉蓋部８とから構成されており、前記本体収納部２の内部は使用済おむつ収納部と使用済清拭用布収納部とに分別可能に構成され、前記本体部収納部２の前面、後面、右側面、左側面のいずれか１箇所以上に用具収納部（９ないし１２）が設けられており、前記開閉蓋部８は、蓋開閉手段１７によりワンタッチで開閉するように構成され、前記移動手段７は本体収納部２を載せる台座１３を有するとともに、この台座１３に複数のキャスター２３を備えている。【選択図】図１
0003117333.tif 000002
【実用新案登録請求の範囲】
【請求項１】
収納手段と、把持手段と、移動手段とを有するおむつ交換カートであって、
前記収納手段は本体収納部と開閉蓋部とから構成されており、
前記本体収納部の内部は使用済おむつ収納部と使用済清拭用布収納部とに分別可能に構成され、
前記本体収納部の前面、後面、右側面、左側面のいずれか１箇所以上に用具収納部が設けられており、
前記開閉蓋部は、前記本体収納部の前面下部に設けられた踏み板及びこの踏み板に連動して動作する前記本体収納部の後部に設けられた蓋押上板からなる蓋開閉手段によりワンタッチで開閉するように構成され、
前記移動手段は本体収納部を載せる台座を有するとともに、この台座に複数のキャスターを備えていることを特徴とするおむつ交換カート。
【請求項２】
請求項１において、足のかかとを床に付けた状態で踏み板を踏み込むことができる高さと、おむつ交換カートを安定した状態で立てて置くことができるバランスに調節された奥行きに形成されたストッパーを台座の下面に設けていることを特徴とするおむつ交換カート。
【請求項３】
請求項１または請求項２において、前記把持手段には、前記開閉蓋部が開閉したときに衝突する部分に緩衝部材を取り付けていることを特徴とするおむつ交換カート。
【請求項４】
請求項１から請求項３のいずれかにおいて、前記開閉蓋部の内側面に消臭剤収納部が設けられていることを特徴とするおむつ交換カート。
【請求項５】
請求項１から請求項４のいずれかにおいて、用具収納部の一つとして清拭布を収納する清拭布収納部を備えており、この清拭布収納部は断熱素材により箱状に形成されているとともに、蓋部分にスリットを備えた弾力性素材からなる膜状体が展張されており、この膜状体のスリットを介して清拭布が取り出されるようになっていることを特徴とするおむつ交換カート。
【考案の詳細な説明】
【技術分野】
【０００１】
本考案は、病院や養護老人施設で使用されるおむつ交換カートに関するものであり、特にベッドサイドにおいて使用済おむつや使用済タオル等の臭いや見た目の問題を解消して衛生的に回収することができるとともに、おむつ交換の際に必要な用具を使用し易く収納しスピーディーに移動させることができるおむつ交換カートに関するものである。
【背景技術】
【０００２】
近年、病院や養護老人施設における介護サービスのニーズが増大してきているが、そのサービスの在り方について問題が提起されてきているものの、現場サイドからの改善や被介護者の立場に立ったサービスの充実化は充分になされていないのが現実である。特に、日常生活において食事や睡眠が欠かせないのと同様、排泄は重要な意味を持っている。被看護者は、心身に何らかの障害を持っている以上、どんなに辛く遠慮があっても援助を受けなければならず、そのプライバシーの尊厳と気兼ねへの配慮を十分に理解したサービスの工夫が必要である。
【０００３】
従来、被介護者の排泄物を処理する場合、使用済おむつやおむつ交換の際に使用したタオル等を各人のベッドサイドから袋またはバケツに入れて部屋の外の廊下等まで運び出し、それを大型の台車で回収するという方法がとられている。
【０００４】
しかし、このような処理方法では、あからさまに汚物の交換作業が目に入り、部屋に臭いが充満し、被介護者はもとより近親者や来客者にも嫌な思いが募る状況である。また、介護者側にとってもベッドサイドから台車まで運ぶ際にバケツや袋を用いるため、収納が容易にできず汚物が手や周囲に付着してしまうことがある。衛生面からみても、台車によって回収されるまで部屋の外に使用済おむつやタオルが放置されることもあるし、台車には汚物が収容された袋やバケツがそのまま載せられて運ばれるため、衛生上の問題が生じている。介護施設における細菌感染の問題が発生したのも排泄物処理上の問題と切り離すことはできないのである。
【０００５】
また、おむつ交換の際には、おむつやタオルだけでなく、衛生手袋を交換したり、おむつによりかぶれた患部に塗布する薬や消臭のための清潔品等が必要であるところ、一般にそれらの用具が別の場所に配備されていたり、数が足りなくなる場合がある。このため、従来の作業においては、それらを取ってくる時間や手間がかかり、その間、被介護者に苦痛を強いてしまうという問題がある。
【０００６】
さらに、このようなベッドサイドから袋等に入れて部屋の外の廊下等まで運び出し、それを台車で回収するという方法では、おむつ交換は各人の排泄の時間に関係なく、病院や施設の決めた時間に行われることになり、排泄後の状態で長時間待たされる場合もあり、患者や老人本人に不快な状況を強いていた。
【０００７】
このような問題が存在しているが、従来の排泄物処理に関連する実用品をみると、例えば、実用新案登録第３０６９５９３号公報（特許文献１）では、使用後のおむつ・タオルを回収するときに汚物が付着することなく衛生的で容易に使用できるおむつ交換カートが提案されており、実開平０３−６７６２９号公報（特許文献２）では、小型で多種用具を使用し易くコンパクトに配置したおむつ搬送車が提案されている。
【０００８】
【特許文献１】実用新案登録第３０６９５９３号公報
【特許文献２】実開平０３−６７６２９号公報
【考案の開示】
【考案が解決しようとする課題】
【０００９】
しかしながら、上記特許文献１に記載されたおむつ交換カートは、大量の使用済おむつやタオルを収容するためのものであって、従来の台車について衛生面の一問題を改良しているにすぎず、その他の問題点の解消には至っていない。また、使用済おむつやタオルだけでなく未使用のおむつ等を収納するため、大型にならざるを得ず、ベッドサイドまで移動させることはできない。したがって、ベッドサイドからおむつ交換カートまでの汚物の移動に際しての臭いや見た目、衛生上の問題は解消していない。特に、排泄物等があからさまに見られるため看護される方にとって屈辱的な気持ちにさせられる点は解消されていない。
【００１０】
また、上記特許文献２に記載されたおむつ搬送車は、小型でベッドサイドまで近づくことができるものの、収納部が開放されているため、臭いや見た目、衛生上の問題は依然として解消していない。また、実施例によれば、多種用具は台の上に載せられているため、移動の際にそれらの物が落ち易くなっており、４つのキャスターでは小回りがきかずスピーディーに移動することができない。
【００１１】
本考案は、患者や看護される側の立場から上述した各種の問題点を解決するためになされたものであって、ベッドサイドにおいて使用済おむつや使用済タオル等を臭いや見た目の問題を解消して衛生的に回収することができるとともに、おむつ交換の際に必要な用具を使用し易く収納しスピーディーに移動させることができ、おむつ交換を排泄後随時行うことを容易にすることにより、患者や老人の快適な日常生活をサポートするためのおむつ交換カートを提供することを目的としている。
【課題を解決するための手段】
【００１２】
本考案に係るおむつ交換カートの特徴は、収納手段と、把持手段と、移動手段とから構成されており、前記収納手段は本体収納部と開閉蓋部とから構成されており、前記本体収納部の内部は使用済おむつ収納部と使用済清拭用布収納部とに分別可能に構成され、前記本体収納部の前面、後面、右側面、左側面のいずれか１箇所以上に用具収納部が設けられており、前記開閉蓋部は、前記本体収納部の前面下部に設けられた踏み板及びこの踏み板に連動して動作する前記本体収納部の後部に設けられた蓋押上板からなる蓋開閉手段によりワンタッチで開閉するように構成され、前記移動手段は本体収納部を載せる台座を有するとともに、この台座に複数のキャスターを備えている点にある。
【００１３】
また、本考案において、足のかかとを床に付けた状態で踏み板を踏み込むことができる高さと、おむつ交換カートを安定した状態で立てて置くことができるバランスに調節された奥行きに形成されたストッパーを台座の下面に設けていることが望ましい。
【００１４】
さらに、本考案において、前記把持手段には、前記開閉蓋部が開閉したときに衝突する部分に緩衝部材を取り付けていることが望ましい。
【００１５】
また、本考案において、前記開閉蓋部の内側に消臭剤収納部が設けられていることが望ましい。
【００１６】
さらに、本考案において、用具収納部の一つとして清拭布を収納する清拭布収納部を備えており、この清拭布収納部は断熱素材により箱状に形成されているとともに、蓋部分にスリットを備えた弾力性素材からなる膜状体が展張されており、この膜状体のスリットを介して清拭布が取り出されるようになっていることが望ましい。
【考案の効果】
【００１７】
本考案によれば、ベッドサイドにおいて使用済おむつや使用済タオル等の汚臭や見た目の問題を解消して衛生的に回収することができるとともに、おむつ交換の際に必要な用具を使用し易く収納しスピーディーに移動させることができ、おむつ交換を排泄後随時行うことを容易にすることにより、患者や老人の快適な日常生活をサポートすることができる。
【考案を実施するための最良の形態】
【００１８】
以下、本考案に係る収納箱について図面を参照しつつ説明する。
【００１９】
図１は、本考案の実施形態におけるおむつ交換カート１を示す斜視図であり、図２は図１におけるおむつ交換カート１の正面図であり、図３は図１における本体収納部２の使用済おむつ収納部３と使用済清拭用布収納部４を示す説明図である。以下、本実施形態のおむつ交換カート１の各構成について説明する。
【００２０】
図１ないし図６に示すように、おむつ交換カート１は、主として収納手段５と、把持手段６と、移動手段７とによって構成されている。
【００２１】
図１ないし図６に示すように、収納手段５は、本体収納部２と開閉蓋部８とからなり、本体収納部２の前面には清拭布収納部９、右側面には清潔品収納部１０、左側面には清掃用使い捨て手袋収納部１１、後面には洗濯物収納部１２それぞれが設けられている。これらは介護用に必要な用具を収納するためのものであるが、必要に応じてなくしたり、位置を変更してもよい。
【００２２】
本体収納部２は上部が矩形状に開口されており、その奥側の上縁後部に開閉蓋部８が開閉自在に取り付けられている。本体収納部２は台座１３の上に着脱自在に載置されており、ベルト１５等によって把持手段６に固定されている。
【００２３】
図３に示すように、本体収納部２は、箱体やビニール袋等からなる使用済おむつ収納部３と使用済清拭用布収納部４とで構成されている。本体収納部２の上縁部には、ビニール袋等を引っ掛けて保持するためのフック１６が設けられている。
【００２４】
このような構成により、使用済おむつはゴミとして廃棄するのに対し、使用済清拭用布は再利用のため業者に引き渡すところ、使用済みおむつと使用済み清拭布をおむつ交換時に分けて収納することができるため、後で分別する必要が無く、一度回収した後に手で触れることなく衛生的である。また、本体内部には完全な仕切を設けていないため、その時々の使用済おむつや使用済清拭布の量に応じて効率的に収納することができる。
【００２５】
図４に示すように、本体収納部２の底面には蓋開閉手段１７を構成する踏み板１８が配置されており、本体収納部２の背面には蓋開閉手段１７を構成する蓋押上板１９が配置されている。踏み板１８は板状で、本体収納部２の正面側の一端が足踏み部分となり、他端が蓋押上板１９に連結されて本体収納部２の底面に揺動自在に支持されている。蓋押上板１９は棒状で、一端が踏み板１８に連結され、他端が開閉蓋部８の開閉当接部２０に連結されて開閉蓋部８を押し上げることができるように、上下動可能に設置されている。そして、踏み板１８の足踏み部分を踏むと、踏み板１８の蓋押上板１９に当接する側の端が持ち上がり、それに連動して蓋押上板１９が開閉蓋部８の開閉当接部２０を持ち上げ、後方の回転軸を中心に蓋が開くようになっている。そして、踏み板１８から足をはなすと、踏み板１８の足踏み部分が上がると同時に蓋押上板１９に当接する側の端が下がり、蓋押上板１９が下方向に移動し、蓋が閉まるようになっている。また、開閉蓋部８の内側には消臭剤の交換が可能な消臭剤収納部２１が設けられている。
【００２６】
このような構成により、踏み板１８を踏むだけで開閉蓋部８をワンタッチで開閉することができ、使用済おむつ回収時の臭いの漏れを最小限に抑えることができる。また、蓋部の内側には消臭剤収納部２１によって、内部に籠もる臭気を消臭し、蓋が開いた瞬間の臭いも防ぐことができる。
【００２７】
図１ないし図６に示すように、移動手段７は本体収納部２を載せる台座１３を有するとともに、この台座１３の後方下部に設けられた２つのストッパー２２と２つのキャスター２３により構成されている。台座１３は本体収納部２を安定した状態で載せることができるような幅と奥行きに調整される。ストッパー２２は台座１３の後部側に設けられ、その高さは足のかかとを床につけて踏み板１８を踏むことができるように調節され、奥行きはおむつ交換カート１を安定した状態で立てて置くことができるように調節される。キャスター２３は後面側の左右にそれぞれ配置され、把持手段６及び台座１３に連結したレール１４の下部に固定されたキャスター取付部２４に軸支される。
【００２８】
このような構成により、本体収納部２を安定した状態で移動させること及びおむつ交換時に安定した状態でカートを立てて置くことができる。また、ペダルが踏み易い高さになっているため、作業者の体の負担が少なくおむつ交換作業がし易い。
【００２９】
図１ないし図６に示すように、把持手段６は枠状に形成されており、前記レール１４の上端に連結されている。把持手段６の開閉蓋部８が開く際にぶつかる衝突部分には、軟質のゴムや発泡樹脂等の素材からなる緩衝部材２５が固着されている。
【００３０】
このような構成により、開閉蓋部８の開く際に生じる衝突音の発生を抑えることができ、周囲に音の不快感を与えることなく使用することができる。
【００３１】
図１および図２に示すように、本体収納部２の前面には箱状の清拭布収納部９が設けられている。清拭布はおむつ交換時に患者等の皮膚を直接拭くという用途により、水分を含んだ状態で一定の温度に温められている必要がある。このため、清拭布収納部９を構成する部材の材質は、例えば発泡スチロールやポリエチレン等の保湿や断熱性に富んだ素材が用いられる。また、清拭布収納部９内の水分や熱気を逃さないように蓋部分にはゴム等の弾力性素材によって膜状体９ａが張られ、この膜状体９ａにスリット９ｂが形成されており、このスリット９ｂから手を入れて清拭布が取り出されるようになっている。
【００３２】
このような構成により、おむつ交換時に使用する清拭布を保温および保湿状態を維持したまま収納でき、かつ清拭布の取り出しが容易であるため、清拭布を患者等の皮膚に触れる際に快適な状態に保つことができ、必要なときに迅速に取り出し、使用することができる。
【００３３】
図１および図４に示すように、本体収納部２の右側面には篭状の清潔品収納部１０が設けられている。清潔品収納部１０は、消臭スプレー等の清潔品の出し入れがし易いように、蓋部のない篭状となっている。
【００３４】
このような構成により、おむつ交換時に必要な清潔品を必要な時に使用することができる。また、清潔品の取り出しも容易なため、スピーディーなおむつ交換が可能となる。
【００３５】
図５に示すように、本体収納部２の左側面には略箱状の清掃用使い捨て手袋収納部１１が設けられている。清掃用使い捨て手袋収納部１１の外面中央に取り出し口が設けられており、ティッシュケースのように手袋を一枚一枚取り出せるように構成されている。
【００３６】
このような構成により、おむつ交換時に必要な清掃用使い捨て手袋を必要なときに、必要な枚数の手袋を素早く取り出すことができる。
【００３７】
図４ないし図６に示すように、本体収納部２の後面には洗濯物収納部１２が設けられている。洗濯物収納部１２はネット状等の袋からなり、本体収納部２に取り付けられたフック２６により固定される。洗濯物収納部１２を構成する袋にはマチがついており、洗濯物の量に応じて広がり、多くの量の洗濯物を収納することができる。また、洗濯物収納部１２はフック２６からはずしてそのまま洗濯ネットとして使用することができる。
【００３８】
このような構成により、おむつ交換と同時に洗濯物を回収することができ、回収した洗濯物を取り出さずにそのまま洗濯することができる。
【００３９】
次に、おむつ交換カート１の使用方法について説明する。
【００４０】
本体収納部２の上縁部に設けられたフック１６にビニール袋２枚をそれぞれ引っ掛けて固定し、使用済おむつ収納部３と使用済清拭用布収納部４とする。また、清拭布収納部９に清拭布、清潔品収納部１０に消臭スプレー等の清潔品、清掃用使い捨て手袋収納部１１に清掃用使い捨て手袋の収納箱をそれぞれセットしておく。
【００４１】
おむつ交換カート１を移動させる場合は、把持手段６の把持部分を握り、おむつ交換カート１をその後部側に傾け、キャスター２３を回転させて動かす。そして、おむつを交換する場合は、移動時に後部側に倒していたおむつ交換カート１を前部側に起こしてストッパー２２が床面に接するようにして立てておく。
【００４２】
おむつを交換の際には、まず清掃用使い捨て手袋収納部１１から清掃用使い捨て手袋を取り出し手にはめる。次に患者等の服を脱がせておむつをはずし、おむつ交換カート１の踏み板１８の足踏み部を足で踏み、開閉蓋部８を開けて、使用済おむつを使用済おむつ収納部３に入れ、踏み板１８から足を離して開閉蓋部８を閉めて、使用済おむつ収納部３に使用済おむつを収納する。そして、清拭布収納部９から清拭布を取り出し、患者等の汚物で汚れた部分を清拭布で拭き取り、使用済おむつの場合と同じ要領で、踏み板１８の踏み込みにより開閉蓋部８を開閉して、使用済清拭用布収納部４に使用済み清拭布を収納する。さらに、汚れた衣類等を洗濯物収納部１２に入れ、必要に応じて清潔品収納部１０から消臭スプレー等を取り出して使用する。
【００４３】
おむつ交換完了後は、おむつ交換カート１をごみ捨て場へ移動させ、ビニール袋からなる使用済おむつ収納部３を袋ごと捨てる。また、おむつ交換カート１を洗濯物置き場へ移動させ、ビニール袋からなる使用済清拭用布収納部４又は洗濯物収納部１２を袋ごとクリーニング業者等へ引き渡す。
【００４４】
以上より、本発明に係るおむつ交換カートの実施形態によれば、
１．ベッドサイドにおいて使用済おむつや使用済タオル等を臭いや見た目の問題を解消して衛生的に回収すること
２．おむつ交換の際に必要な用具を使用し易く収納することができること
３．おむつ交換カートをスピーディーに移動させられること
４．おむつ交換時に、使用済おむつ、使用済清拭用布、洗濯物を分けて収納することができるため、後で分別する手間が無く、一度回収した後触れることなく衛生的に回収することができる等の効果を奏し、おむつ交換を排泄後随時行うことを容易にすることにより、患者や老人の快適な日常生活をサポートすることができる。
【００４５】
なお、本考案に係るおむつ交換カートは、前述した実施形態に限定されるものではなく、適宜変更することができる。例えば、本体収納部２の前後面ないし側面に備えた清拭布収納部９、清潔品収納部１０、清掃用使い捨て手袋収納部１１、洗濯物収納部１２の配置を変えてもよいし、その用途や形状を変えてもよい。
【００４６】
また、使用済おむつ収納部３ないし使用済清拭用布収納部４としてビニール袋に代えて箱にしてもよい。さらに、本体収納部２を台座１３ないしレール１４と一体的に構成してもよい。また、ストッパー２２の数を増やして前方に付加してもよいし、その大きさや位置を適宜変えてもよい。
【図面の簡単な説明】
【００４７】
【図１】本考案に係るおむつ交換カート１の一実施形態を示す斜視図である。
【図２】図１におけるおむつ交換カート１の正面図である。
【図３】図１における本体収納部２を示す説明図である。
【図４】図１におけるおむつ交換カート１の右側面図である。
【図５】図１におけるおむつ交換カート１の左側面図である。
【図６】図１におけるおむつ交換カート１の背面図である。
【符号の説明】
【００４８】
１  おむつ交換カート
２  本体収納部
３  使用済おむつ収納部
４  使用済清拭用布収納部
５  収納手段
６  把持手段
７  移動手段
８  開閉蓋部
９  清拭布収納部
９ａ  膜状体
９ｂ  スリット
１０  清潔品収納部
１１  清掃用使い捨て手袋収納部
１２  洗濯物収納部
１３  台座
１４  レール
１５  ベルト
１６  フック
１７  蓋開閉手段
１８  踏み板
１９  蓋押上板
２０  開閉当接部
２１  消臭剤収納部
２２  ストッパー
２３  キャスター
２４  キャスター取付部
２５  緩衝部材
２６  フック
【図１】
0003117333.tif 000003
【図２】
0003117333.tif 000004
【図３】
0003117333.tif 000005
【図４】
0003117333.tif 000006
【図５】
0003117333.tif 000007
【図６】
0003117333.tif 000008